(57)【要約】【課題】二つ一組にしたワニ状に開閉する糞取り器から．掬い取る物があるが開閉する蓋などは．ワニ状なため犬の動作に合わせるのが難しく掬い取るにも下痢や軟らかい糞のときなど．完全に糞を除去できないことが多かった．場合によっては糞で人の汚すこともあった。【解決手段】二つ一組にした糞容器２．上蓋３を向い合わせにして．開閉可能なようにスプリング７で結合し．糞容器２．上蓋３のスライド．開閉させ．さらに上蓋３の横ずれ防止に．上蓋レ−ルｊ．糞容器溝ｉを形成し．糞容器２の内周壁を開口側に向かって広がるテ−パ面とし．上蓄３の開口端面を糞容器２の前記テ−パ面に当接させるようにした犬などのペット用糞容器を提供する。【選択図】    図１
2006141377.tif 000002
【特許請求の範囲】
【請求項１】
二つ一組にした糞容器．糞容器２に上蓋３を組み合わせからなり．スプリング７の弾性によるスライド可能とする糞容器２及び上蓋３で．開閉ボタン６を設けたことを特徴とするペット用糞容器。
【発明の詳細な説明】
【発明の明細な詳明】
【技術分野】
【０００１】  本発明は犬の散歩中排泄物の収拾．処理用具に関する。
【背景技術】
【０００２】  犬の散歩中．路面や草むらに排泄させた糞を回収するものの．下痢などの時路面などで完全なる払拭が不十分で．不衛生であり場合によっては．人の手を汚すこともあった．又は糞容器など．糞が上下明け閉めするものから掴み取る物が多く．犬の動作に合わせ素早く担つ自在に操作しながら収拾するものであるが糞容器．蓋が上下明け閉めのため．犬の動作又は姿勢に合わせるのが難しくその本体に問題点があった。
【発明が解決しようとする課題】
【０００３】  したがって．本発明が解決すべき技術的課題は．犬の散歩中に路面や草むらに排泄された糞を掬い取るもので．特に下痢や軟らかい糞などは．路面又は草むらに落ちる前に掬い取る方法であって．糞を完全に収拾ができ．さらに人の手を汚すことなく糞を着脱容易な内受袋に収拾でき．簡単に糞を処理ができる。
そのすべての糞容器に対応できることが望ましい。
【課題を解決するための手段】
【０００４】  上記目的を達成するために．本発明の要旨は．糞容器枢１０及び上蓋柄５中央に開閉ボタン６さらにストッパ−穴ａを形成し．開閉させるスプリング７を枢軸ｈ及び上蓋柄５．把手ｇ両端間に設け．糞容器２をスライドさせ．さらに横ずれ防止に上蓋ｊ．糞容器ｉで当接させるようにしたペット用糞容器を提供する。
【０００５】  ペット用糞容器．スライドさせ．開いて閉じる糞の回収操作を行った場合糞容器溝ｉ及び上蓋レ−ルｊに案内され正しい噛み合わせの位置で安定する。従って糞容器１０枢軸ｈが．上蓋柄５．把手ｇ筒空間に差し込まれスライドし．枢軸ｈ並びに筒空間にがたつきや．歪みがあっても．上記部材同士の間に不都合な隙間が生じない。
【発明の実施の形能】
【０００６】  図面を参考に説明をすると．図１．本器具は合成樹脂の成形品で形成され．二つ一組にしたペット用糞容器．全体図
【０００７】  図２．糞容器２．零れ防止とする糞溜めｃを形成し．糞容器枢１０．枢軸ｈとする中央にストッパ−穴ａを設けた．斜視図
【０００８】  図３．上蓋３．把手ｇとする上蓋柄５中央に開閉ボタン６を形成し．糞容器２をスライドさせる役目をさせる．斜視図
【０００９】  図４．開閉ボタン６及びストッパ−穴ａが形成され．糞容器枢１０が上蓋柄５．把手ｇ．筒空間に差し込まれ．開閉ボタン６及びストッパ−穴ａとの上下動作し．ストッパ−穴ａと開閉ボタン軸ｅとの正しい位置で噛み合わせをさせる．開閉ボタン未開図
【００１０】  図５．糞容器枢１０．軸ｈと上蓋柄．把手ｇ両端間に糞容器２をスライドさせるスプリング７を着装し．糞容器２のスライドする準備となる．スプリング取り付け斜視図
【００１１】  図６．開閉ボタンを基本とし．開閉ボタン軸ｅ及び山形カットｄに形成され．開閉ボタン６を上下押すことで．山形カットｄの動作により．開閉ボタン軸ｅ及びストッパ−穴ａとの正しい噛み合わせにより．糞容器２のスライドする準備をする．開閉ボタン断面図
【００１２】  図７．糞容器２の汚れを防ぐために．糞容器２内側に着脱容易な内受袋８を設けることができ．内受袋８が弛まぬように．糞容器２外周に紐フックｂを形成し．内受袋紐ｆ固定する。糞容器内外断面図
【００１３】  さらに糞容器２及び上蓋３を明け閉めする糞容器溝ｉ上蓋レ−ルｊで横ずれを防せぎ．糞容器２の動作を自然に安定させる。なお糞溜めｃは．２度目以後の糞掬い取りに．始めの糞が保持できるよう前端の深い形状が望ましい。
【実施例】
【００１４】  本発明のペット用糞容器の使用方法について説明する．糞容器２を基盤とし．スライドさせ上蓋３が口を閉じた状態から．開閉ボタン６を上下押すことで．スプリング７の弾性により．糞容器２がスライドしながら開き始め．糞容器２を押さえ．上蓋柄５．把手ｇを手で押し上蓋３を閉じる。【００１５】  糞容器枢１０．枢軸ｈ並びに上蓋柄５．把手ｇとの中央にストッパ−穴ａ及び開閉ボタン６を形成し．山形カットｄの動作により．開閉ボタン軸ｅ並びにストッパ−穴ａとの上下正しい噛み合わせをさせる。【００１６】  上記糞容器枢１０が上蓋３その上蓋柄５．把手ｇとする筒空間に差し込まれスライドさせ．枢軸ｈ．ストッパ−穴ａ及び把手ｇ．開閉ボタン軸ｅとの．正しい噛み合わせの位置で固着し．スプリング７の弾性で．開閉ボタン軸ｅとストッパ−穴ａとの連携動作により．糞容器２がスライドし．上蓋３の開きの準備となる。【００１７】  犬の散歩中に持ち歩く糞容器で．排泄させた糞を掬い取り零れを防ぐため．糞容器２前端に糞溜めｃを設け．さらに汚れ防止ともなる糞容器２の内側に内受袋８を設けてなり．内受袋８の弛み止めに紐フックｂを糞容器２外周両端に形成し．内受袋紐ｆを固定させる。なお内受袋８を糞容器２より取り出し．簡単に内受袋８そのものを便器などに．排水物として処理ができる。
なお内受袋８は水溶性の材質とすることが好ましい。
【発明の効果】
【００１８】  上蓋をスライドさせたことにより．素早い犬の動作且つ．姿勢に合わせ捕捉することで．路上を汚さず払拭の手間が省ける。
【００１９】  散歩中に排泄させた糞を収拾し．容器を持ち．ぶら下げた状態で．取り込んだ糞は糞溜めｃに入り．零れることなく安心して持ち歩くことができる。
【００２０】  糞容器２に内受袋８をセットすることで．人の手を汚さず簡単に処理ができる。
【図面の簡単な説明】
【００２１】
【図１】ペット用糞容器．全体図
【図２】糞容器２前端に糞溜めｃを．糞容器枢１０．枢軸ｈ中央にストッパ−穴ａを設けた．糞容器２姿図
【図３】明け閉めさせるため．上蓋柄５．把手０ｇ部に開閉ボタン６を設けた．上蓋３姿図
【図４】糞容器枢１０が上蓋柄５．把手ｇ筒空間に差し込まれスライドし．ストッパ−穴ａと開閉ボタン軸ｅとの正しい噛み合わせをする。開閉ボタン未開図
【図５】スプリング７の弾性を利用し．スライドさせるその．スプリング取り付け図
【図６】開閉ボタン６を基本とし．開閉ボタン軸ｅ及び山形カットｄに形成され．糞容器２及び上蓋３をスライドし開閉させるための．開閉ボタン断面図
【図７】糞容器２の汚れを防ぐため．内受袋８をセットし．持ち歩くとき内受袋８が弛まぬように紐フックｂを設け．さらに上蓋３の横ずれを防ぎ．糞容器２のスライドを安定させる上蓋レ−ルｊならびに糞容器溝ｉを形成された。糞容器内外断面図
【符合の説明】
ア．上蓋柄−５
イ．開閉ボタン−６
ウ．スプリング−７
エ．内受袋−８
オ．ストッパ−穴ａ
カ．紐フック−ｂ
キ．糞溜め−ｃ
ク．山形カットｄ
ケ．開閉ボタン軸ｅ
コ．内受袋紐ｆ
サ．把手ｇ
シ．枢軸ｈ
ス．糞容器溝ｉ
セ．上蓋レ−ルｊ
【図１】
2006141377.tif 000003
【図２】
2006141377.tif 000004
【図３】
2006141377.tif 000005
【図４】
2006141377.tif 000006
【図５】
2006141377.tif 000007
【図６】
2006141377.tif 000008
【図７】
2006141377.tif 000009